(57)【要約】本発明はクリップが本体から出没できるようにすることで、クリップを使用しないときには没入させておくことができるので、クリップが折れることがなく、クリップによって外傷を負う危険が減少し、筆記具の収納空間を効率よく使うことができるクリップの収納が可能な筆記具に関する。
2012519613.tif 000002
【特許請求の範囲】
【請求項１】
スプリングを介してペン芯を出没可能に収容する下軸４００と；
他端が前記下軸４００と固定されるように螺合される中結部３００と；
前記中結部３００の内壁面に形成されたネジ部３０６に沿って昇降しながら回転運動するように、末端にネジ昇降突起２０２を備えているカム２００と；
前記カム２００を収容し、前記中結部３００とは一端が回転結合される上軸５００と；
前記上軸５００及びカム２００の内部から出没するクリップ６００と；を含んでなることを特徴とする、クリップの収納が可能な筆記具。
【請求項２】
前記ペン芯が下軸４００内に没入し前記クリップ６００が上軸５００及びカム２００の内部から突出した状態で前記下軸４００が回転する場合、前記下軸４００の回転とともに中結部３００が一体的に回転し、前記中結部３００の回転によって中結部３００の内部のネジ部３０６と噛み合っている前記カム２００のネジ昇降突起２０２がネジ部３０６に沿って下降するにつれて前記カム２００と噛み合っているクリップ６００がスライドしてカム２００の内部に没入することを特徴とする、請求項１に記載のクリップの収納が可能な筆記具。
【請求項３】
前記下軸４００は、
前記中結部３００と固定結合するように一側内部に形成されているネジ部４０２と；
前記ペン芯が突出及び没入するように他側に形成されているペン芯突出口４０１と；を含んでなることを特徴とする、請求項１に記載のクリップの収納が可能な筆記具。
【請求項４】
前記中結部３００は、
前記下軸４００の一端内部に挿入されるように下軸４００の管径に対応する寸法を有し、前記下軸４００の内部ネジ部４０２と結合するように下部外面に形成されている下軸結合ネジ部３０１と；
前記上軸５００と回転結合するように、前記下軸結合ネジ部３０１から一定距離に形成され、前記上軸５００の突条５０７と噛み合う管状の上軸結合用溝３０３と；
上端の管状上面３０９上において内面及び外面から伸びるように垂直に突出している係止突起３０４と；
前記管状上面３０９上で内面からだけ伸びるように垂直に突出し、前記係止突起３０４より薄い厚さを有するストッパー３０５と；
内壁面に沿って前記カム２００のネジ昇降突起２０２が移動するように形成されているネジ部３０６と；を含んでなることを特徴とする、請求項１に記載のクリップの収納が可能な筆記具。
【請求項５】
前記カム２００は、
上部にクリップ６００が収容されるように側部が中空部を持つクリップ収納部２０４と；
前記クリップ６００の傾斜型溝６０２と対応して噛み合うように、前記クリップ収納部２０４の内側両壁面に突設されている複数の傾斜型突条２０３と；
前記上軸５００が段差部にかかって固定されることにより、前記中結部３００が回転しても前記カム２００が回転できないように側面が円筒状になっており、両側が‘Ｌ’字形に形成されている上軸バー装着部２０９と；を含んでなることを特徴とする、請求項１に記載のクリップの収納が可能な筆記具。
【請求項６】
前記上軸５００は、
側面に前記クリップ６００が出没できるように形成されている長い楕円形のクリップ出没口５０５と；
前記クリップ６００のガイドライン溝６０１と噛み合うように、前記クリップ出没口５０５の上部に形成されている突起５０２と；
前記中結部３００と回転可能に結合するように、下部内壁面に突設されている管状の中結部結合用突条５０７と；
前記中結部３００のストッパー３０５及び係止突起３０４の移動空間を提供するように、前記中結部結合用突条５０７から所定距離に形成されている段差部５０６と；
壁面に長手方向に形成されている一対のカム固定用バー５０３と；を含んでなることを特徴とする、請求項１に記載のクリップの収納が可能な筆記具。
【請求項７】
前記上軸５００には、外面一側に転がり防止用突出部５０１が形成されていることを特徴とする、請求項１に記載のクリップの収納が可能な筆記具。
【請求項８】
前記クリップ６００は、
側面上部にペン芯出没方向に対して垂直に形成されている直線形ガイドライン溝６０１と；
前記カム２００の傾斜型突条２０３と噛み合うように前記ガイドライン溝６０１から所定距離の下部両側面に形成されている複数の傾斜型溝６０２と；を含んでなることを特徴とする、請求項１に記載のクリップの収納が可能な筆記具。
【発明の詳細な説明】
【技術分野】
【０００１】
本発明は紙や布のような部材に保持できるようにクリップを備えている筆記具に係り、より詳しくはクリップが筆記具本体に対して出没するようにすることで、ペン芯の使用の際には本体の内部にクリップが収納されるようにするクリップの収納が可能な筆記具に関する。
【背景技術】
【０００２】
一般に、筆記具は収納が容易でなく、いつでもどこでも使用できるように使用者の使用範囲に置かれていなければならないので、所定部位にクリップを提供して、紙や衣類のように手が到達しやすいところに保持されるようにしなければならない。
【０００３】
しかし、図１に示すように、筆記具１０のクリップ２０は概してその形状が鋭く突出しているため、クリップによって外傷を負うことができ、クリップが折れる危険がある。これは、筆記の際に使用者の手がクリップに触れて筆記が不便になる要因となる。
【先行技術文献】
【特許文献】
【０００４】
【特許文献１】特開２００８−３０７７６１号公報
【発明の概要】
【発明が解決しようとする課題】
【０００５】
したがって、本発明の目的は、クリップが筆記具本体に対して出没することができるようにすることで、ペン芯の使用の際には本体の内部にクリップが収納されるようにするクリップの収納が可能な筆記具を提供することである。
【課題を解決するための手段】
【０００６】
前記のような本発明の目的は、スプリングを介してペン芯を出没可能に収容する下軸と；他端が前記下軸と固定されるように螺合される中結部と；前記中結部の内壁面に形成されたネジ部に沿って昇降しながら回転運動するように、末端にネジ昇降突起を備えているカムと；前記カムを収容し、前記中結部とは一端が回転結合される上軸と；前記上軸及びカムの内部から出没するクリップと；を含んでなることを特徴とする、クリップの収納が可能な筆記具によって達成される。
【０００７】
また、本発明において、前記ペン芯が下軸内に没入し前記クリップが上軸及びカムの内部から突出した状態で前記下軸が回転する場合、前記下軸の回転とともに中結部が一体的に回転し、前記中結部の回転によって中結部の内部のネジ部と噛み合っている前記カムのネジ昇降突起がネジ部に沿って下降するにつれて前記カムと噛み合っているクリップがスライドしてカムの内部に没入することが好ましい。
【０００８】
また、本発明において、前記下軸は、前記中結部と固定結合するように一側内部に形成されているネジ部と；前記ペン芯が突出及び没入するように他側に形成されているペン芯突出口と；を含んでなることが好ましい。
【０００９】
また、本発明において、前記中結部は、前記下軸の一端内部に挿入されるように下軸の管径に対応する寸法を有し、前記下軸の内部ネジ部と結合するように下部外面に形成されている下軸結合ネジ部と；前記上軸と回転結合するように、前記下軸結合ネジ部から一定距離に形成され、前記上軸の突条と噛み合う管状の上軸結合用溝と；上端の管状上面上において内面及び外面から伸びるように垂直に突出している係止突起と；前記管状上面上で内面からだけ伸びるように垂直に突出し、前記係止突起より薄い厚さを有するストッパーと；内壁面に沿って前記カムのネジ昇降突起が移動するように形成されているネジ部と；を含んでなることが好ましい。
【００１０】
また、本発明において、前記カムは、上部にクリップが収容されるように側部が中空部を持つクリップ収納部と；前記クリップの傾斜型溝と対応して噛み合うように、前記クリップ収納部の内側両壁面に突設されている複数の傾斜型突条と；前記上軸が段差部にかかって固定されることにより、前記中結部が回転しても前記カムが回転できないように側面が円筒状になっており、両側が‘Ｌ’字形に形成されている上軸バー装着部と；を含んでなることが好ましい。
【００１１】
また、本発明において、前記上軸は、側面に前記クリップが出没できるように形成されている長い楕円形のクリップ出没口と；前記クリップのガイドライン溝と噛み合うように、前記クリップ出没口の上部に形成されている突起と；前記中結部と回転可能に結合するように、下部内壁面に突設されている管状の中結部結合用突条と；前記中結部のストッパー及び係止突起の移動空間を提供するように、前記中結部結合用突条から所定距離に形成されている段差部と；壁面に長手方向に形成されている一対のカム固定用バーと；を含んでなることが好ましい。
【００１２】
また、本発明において、前記上軸には、外面一側に転がり防止用突出部が形成されていることが好ましい。
【００１３】
また、本発明において、前記クリップは、側面上部にペン芯出没方向に対して垂直に形成されている直線形ガイドライン溝と；前記カムの傾斜型突条と噛み合うように前記ガイドライン溝から所定距離の下部両側面に形成されている複数の傾斜型溝と；を含んでなることが好ましい。
【発明の効果】
【００１４】
前記のような課題解決手段による本発明のクリップの収納が可能な筆記具は、クリップが本体に対して出没することができ、クリップを使用しないときには没入させておくことができるので、クリップが折れるおそれがなく、クリップによって外傷を負う危険が減少し、筆記具の収納空間を効率よく使うことができるようになる。
【００１５】
また、ペン芯の使用の際には、クリップを没入させて収納することができるので、筆記具のグリップ感を高めることができる。
【図面の簡単な説明】
【００１６】
【図１】図１は従来のクリップ型筆記具の図である。
【図２】図２は本発明の実施例によるクリップの収納が可能な筆記具の分解斜視図である。
【図３】図３は本発明の実施例による下軸の斜視図及び側面図である。
【図４】図４は本発明の実施例による中結部の斜視図及び断面図である。
【図５】図５は本発明の実施例によるカムの斜視図及び側面図である。
【図６】図６は本発明の実施例による上軸の斜視図、側面図及び断面図である。
【図７】図７は本発明の実施例によるクリップの斜視図及び側面図である。
【図８】図８は本発明の実施例によるクリップの収納が可能な筆記具の下軸及び上軸を除いた状態の組立斜視図である。
【図９】図９は本発明の実施例によるクリップの収納が可能な筆記具のペン芯が没入した状態の断面図である。
【図１０】図１０は本発明の実施例によるクリップの収納が可能な筆記具のペン芯が突出した状態の断面図である。
【符号の説明】
【００１７】
２００：カム   ３００：中結部
４００：下軸   ５００：上軸
６００：クリップ
【発明を実施するための形態】
【００１８】
以下、本発明のクリップの収納が可能な筆記具の実施例を添付図面に基づいてより詳細に説明する。
【００１９】
図２は本発明の実施例によるクリップの収納が可能な筆記具の全体分解斜視図である。同図に示すように、クリップの収納が可能な筆記具は、スプリングを介在してペン芯を出没できるように収容する下軸４００と、下端が前記下軸４００に固定されるように螺合される中結部３００と、前記中結部３００の内壁面に形成されたネジ部に沿って昇降しながら回転運動するように、末端にネジ昇降突起を備えているカム２００と、前記カム２００を収容し、前記中結部３００に一端が回転結合する上軸５００と、前記上軸５００とカム２００の内部から出没するクリップ６００とを含んでなる。
【００２０】
また、本発明の各附属品は、それぞれの結合がより堅くなり、作動においても力をよりうまく分散させるように、突起及びこれに対応する段差部、溝またはネジ部などが外面または内面の一面及び後面上で一対ずつ形成されることが好ましい。
【００２１】
また、後述する本発明の実施例において、ペン芯が突出するペン芯突出口の方向を下向きにし、ペン芯が没入するクリップの方向を上向きにして、動作においてペン芯突出口の方向が前進あるいは上向きになり、クリップの方向が後退、後進あるいは下向きになる。
【００２２】
図３は本発明の実施例による下軸の斜視図及び側面図である。
前記下軸４００は、一側内部にネジ部４０２が形成されて、後述する中結部３００に固定結合されるようにする。
【００２３】
前記下軸４００は、内部にスプリングを収容し、前記スプリングの内部を貫通するペン芯が一端から挿入されるようにし、他側に形成されているペン芯突出口４０１からペン芯が突出及び没入するようにする。
【００２４】
図４は本発明の実施例による中結部の斜視図及び断面図である。
【００２５】
前記中結部３００は貫通型に形成されており、前記下軸４００の一端の内部に挿入されるように下軸の管径に対応する寸法を持つ。
【００２６】
前記中結部３００は、下軸４００の内部ネジ部４０２と結合するように、下部外面に下軸結合ネジ部３０１が形成されている。
【００２７】
また、前記中結部３００は、後述する上軸５００との結合のために、管状の上軸結合用溝３０３が形成されている。
【００２８】
すなわち、中結部３００の下軸結合ネジ部３０１から一定の距離に管状の上軸結合用溝３０３が形成されて、後述する上軸５００の突条５０７と噛み合うようになり、前記噛合によって中結部３００と上軸５００は上下に移動しない状態で回転だけ可能になる。
【００２９】
前記中結部３００の上端の管状上面３０９上には係止突起３０４と前記係止突起３０４の厚さより細いストッパー３０５とが突設されている。
断面から分かるように、係止突起３０４は管状の上面３０９上において内面と外面から伸びて垂直に突出しており、ストッパー３０５は内面からだけ伸びて垂直に突出している。
【００３０】
すなわち、ストッパーと係止突起はいずれも中結部３００の上面３０９の内面から伸びて垂直に突出しているが、ストッパー３０５の厚さがもっと薄く形成されているので、後述する上軸のカム固定用バー５０３の下端５０４が管状の上面３０９上で移動し、回転力によってストッパー３０５を越えるが係止突起３０４は越えることができなくてかかるようになるので、回転の反対方向に力を加えない限り係止突起３０４とストッパー３０５の間で回転しない固定状態を維持するようになる。
【００３１】
また、前記中結部３００の内部には後述するカムのネジ昇降突起２０２を案内するネジ部３０６が形成されている。
【００３２】
図５は本発明の実施例によるカムの斜視図及び側面図である。
前記カム２００はその下部が中結部３００の内部に挿入され、その上部が上軸５００に挿入できるように、それに対応する直径を持ち、下部の所定位置に一対のネジ昇降突起２０２が両面の対称位置に突設されている。
【００３３】
前記ネジ昇降突起２０２は前記中結部３００の内壁面に形成されたネジ部３０６と噛み合って昇降することができるようにネジ部３０６の斜面と当接している。
【００３４】
前記カム２００の上部には、後述するクリップ６００を収容するように、側部に中空部を持つクリップ収納部２０４が形成されている。
【００３５】
前記クリップ収納部２０４の内側両壁面には傾斜型突条２０３が複数ずつ突設されて、後述するクリップ６００の傾斜型溝６０２と対応して噛み合うようになる。
【００３６】
前記カム２００の下端２０１はペン芯の末端と当接し、上端は上軸の内部末端と当接するようになる。
【００３７】
前記カム２００は、断面図から分かるように、側面が円筒状になっており、両側が‘Ｌ’字形に形成されてなる上軸バー装着部２０９が形成されている。
【００３８】
したがって、上軸５００のカム固定用バー５０３が前記上軸バー装着部２０９の段差部にかかって固定されることにより、中結部３００が回転してもカム２００が回転できないようにする。
【００３９】
図６は本発明の実施例による上軸の斜視図、側面図及び断面図である。
【００４０】
前記上軸５００は一側だけ開口した円筒状に形成されており、側面にはクリップ６００が出没することができるように長い楕円形のクリップ出没口５０５が形成されている。
【００４１】
前記クリップ出没口５０５は上部に突起５０２が形成されて、後述するクリップ６００のガイドライン溝６０１と噛み合うようになる。
【００４２】
前記上軸５００は、中結部３００と回転可能に結合するように、下部内壁面に管状の中結部結合用突条５０７が突設されている。
【００４３】
また、前記上軸５００は、前記中結部結合用突条５０７から所定距離に段差部５０６が形成されることで、中結部３００のストッパー３０５及び係止突起３０４の移動空間を提供するようになる。
【００４４】
また、前記上軸５００内の壁面には一対のカム固定用バー５０３が上軸の長手方向に形成されており、特にカム固定用バー５０３の下端に突設されている下端５０４が中結部３００のストッパー３０５を越えるようにする。
【００４５】
前記上軸５００は、外面一側に転がり防止用突出部５０１が突設されているので、クリップ６００が収納された状態でペンを平面で転がしても転がり防止用突出部によって転がることができないようにする。
【００４６】
図７は本発明の実施例によるクリップの斜視図及び側面図である。
前記クリップ６００は上軸５００内に収容されているカム２００のクリップ収納部２０４に収容される。この際、上軸５００のクリップ出没口５０５を通して挿入されてカム２００のクリップ収納部２０４内に収容される。
【００４７】
前記クリップ６００は上軸５００のクリップ出没口５０５の形状に対応する形状を有し、上下移動のためにその側面が平面状に形成されている。
【００４８】
特に、クリップ６００の側面は、その上部に直線形のガイドライン溝６０１がペン芯出没方向に対して垂直に形成されており、前記クリップ６００は前記ガイドライン溝６０１の移動経路に沿って水平に移動するようになる。
【００４９】
また、前記クリップ６００はガイドライン溝６０１から所定の距離だけの下側に傾斜型溝６０２が両側面に複数形成され、これは前記カム２００の傾斜型突条２０３と噛み合うようにする。
【００５０】
図８は本発明の実施例によるクリップの収納が可能な筆記具の下軸及び上軸を除いた状態の組立斜視図、図９は本発明の実施例によるクリップの収納が可能な筆記具のペン芯が没入した状態の断面図、図１０は本発明の実施例によるクリップの収納が可能な筆記具のペン芯が突出した状態の断面図である。
【００５１】
まず、下軸４００の末端開口部に、スプリングが外挿されているペン芯を挿入する。
【００５２】
前記中結部３００はカム２００と結合されている。カムのネジ昇降突起２０２が中結部の内壁面上に形成されているネジ部３０６の斜面と当接しており、前記ネジ部３０６上でだけネジ昇降突起２０２が移動可能であるので、カム２００の下部が中結部３００の内部から抜け出ないようになっている。
【００５３】
前記ペン芯が挿入された下軸４００と中結部３００を螺合して固定させると、前記スプリングは下軸内壁面とペン芯の間で押し出すことになり、中結部３００から離脱できずに拘束されているカム２００の下端が前記ペン芯の末端と当接することで、スプリングの押し出す付勢力がペン芯及びカム２００を上向きに最大の緊張状態を維持するようにする。
【００５４】
この際、前記カム２００が上軸５００の内部に収容されるように挿入される。すなわち、前記上軸５００のカム固定用バー５０３が前記カム２００の上軸バー装着部２０９の段差部に置かれるように挿入される。
【００５５】
また、前記上軸５００の中結部結合用突条５０７と前記中結部３００の上軸結合用溝３０３が噛み合うようにして上軸５００と中結部３００が回転可能に結合されるようにすることにより、前記カム固定用バー５０３が上軸バー装着部２０９の段差部に置かれるとともに前記カム２００のクリップ収納部２０４と上軸５００のクリップ出没口５０５が同一位置に位置するようになる。
【００５６】
前記クリップ収納部２０４とクリップ出没口５０５が一致する位置に置かれた状態で、クリップ６００をクリップ出没口５０５を通して挿入すれば、傾斜型突条２０３が傾斜型溝６０２と噛み合うようになり、上軸５００の突起５０２がクリップ６００のガイドライン溝６０１上に位置して、クリップ６００が上軸５００上に突出するように置かれる。
【００５７】
図８及び図９に示すペン芯の没入状態で上軸５００を固定させるとともに下軸３００を回転させれば、下軸４００と固定結合されている中結部３００が一体的に回転し、中結部３００の回転によってカム２００は、中結部３００の内部のネジ部３０６と噛み合っているネジ昇降突起２０２がネジ部３０６に沿って下降するようになる。
【００５８】
前記カム２００の上軸バー装着部２０９は、上軸５００を回転させないように段差部がカム固定用バー５０３を固定させながら直線昇降移動のみを誘導する。
【００５９】
前記カム２００がネジ昇降突起２０２によって下降することにより、クリップ６００は、カム２００の傾斜型突条２０３と噛み合っている傾斜型溝６０２も傾斜型突条２０３に沿ってスライドするとともに、突起５０２と噛み合っているガイドライン溝６０１も突起５０２と噛み合って直線移動するようになる。
【００６０】
すなわち、カム２００が下降するにつれて、クリップ６００は突起５０２及び傾斜型突条２０３に沿って直線移動（ペン芯の方向に対して垂直な方向）してカム２００のクリップ収納部２０４に没入するようになる。
【００６１】
このような状態で、下軸４００により強い回転力を加えれば、中結部３００のストッパー３０５が上軸５００の下端５０４に当接するようになり、より強い回転力によってストッパー３０５が下端５０４を越え、下端５０４が係止突起３０４とストッパー３０５の間に位置するようになる。
【００６２】
この状態では、中結部３００の回転によってカム２００はネジ部３０６に沿って直線状に下降するようになり、前記カム２００の下部と当接しているペン芯がペン芯突出口４０１の方向に押し出されて突出するようになる。
【００６３】
この際、中結部３００のストッパー３０５及び係止突起３０４は上軸５００の下端５０４と噛み合って回転できないように固定されることにより、突出したペン芯が没入しないようにする。
【００６４】
また、前記クリップ６００はカム２００の直線下降によってさらにカム２００のクリップ収納部２０４に挿入されることで、クリップ６００の上面が上軸５００の外面と一面になる位置に置かれるように没入するようになる。
【００６５】
前記のペン芯の突出状態で、再び上軸５００を反対方向に回転させれば、前記中結部３００のストッパー３０５がまた上軸５００の下端５０４を越えるとともにスプリングの復元力がペン芯に作用してペン芯を後退させる。
【００６６】
前記ペン芯はペン芯突出口４０１から没入して下軸４００の内部に没入し、ペン芯の後退によってカム２００の末端も一緒に押し上げられる。
【００６７】
カム２００の上向移動によって中結部３００も回転するようになり、カム２００が上向に移動することにより、カム２００と噛み合っているクリップ６００は傾斜型溝６０２及びガイドライン溝６０１の案内によってスライドして上軸５００から突出するようになる。
【００６８】
続いて中結部３００が回転してカム２００のネジ昇降突起２０２が中結部３００の内部のネジ部３０６の段差部に当接してそれ以上ネジ部３０６に沿って昇降することができなくなれば、中結部３００の回転が停止し、ペン芯はまったく上軸５００の内部に収容された状態でスプリングの復元力によってカム２００の末端に対して緊張状態を維持するようになる。
【図１】
2012519613.tif 000003
【図２】
2012519613.tif 000004
【図３】
2012519613.tif 000005
【図４】
2012519613.tif 000006
【図５】
2012519613.tif 000007
【図６】
2012519613.tif 000008
【図７】
2012519613.tif 000009
【図８】
2012519613.tif 000010
【図９】
2012519613.tif 000011
【図１０】
2012519613.tif 000012
【国際調査報告】
2012519613.tif 000013
2012519613.tif 000014
2012519613.tif 000015
2012519613.tif 000016